(57)【特許請求の範囲】
【請求項１】
装着先装置に着脱自在に装着されて動作する通信用記憶媒体において、
前記装着先装置から転送される通報先情報を記憶する通報先情報記憶手段と、
個人を識別するための識別情報を記憶する識別情報記憶手段と、
前記装着先装置から転送される緊急通報指令によって前記通報先情報記憶手段及び前記識別情報記憶手段から夫々前記通報先情報及び前記識別情報を読み出して無線信号に変換して送信する送信手段とを備えたことを特徴とする通信用記憶媒体。
【請求項２】
前記通報先情報は、電話番号情報であることを特徴とする請求項１に記載の通信用記憶媒体。
【請求項３】
更に、前記装着先装置から転送されるメッセージ情報を記憶するメッセージ情報記憶手段を備え、
前記送信手段は、前記メッセージ情報記憶手段に記憶されたメッセージ情報を前記通報先情報及び前記識別情報と共に無線信号に変換して送信することを特徴とする請求項１又は２に記載の通信用記憶媒体。
【請求項４】
装着先装置に着脱自在に装着されて動作する通信用記憶媒体において、
前記装着先装置から転送される通報先情報を記憶する記憶領域を複数備えた通報先情報記憶手段と、
前記装着先装置から転送される緊急通報指令によって前記通報先情報記憶手段の複数の記憶領域から複数の通報先情報を読み出して無線信号に変換して出力する送信手段とを備えたことを特徴とする通信用記憶媒体。
【請求項５】
前記装着先装置から転送される緊急通報指令は複数個あり、夫々の緊急通報指令が転送される毎に、前記通報先情報記憶手段に記憶されている複数の通報先情報のうち夫々異なった通報先情報が読み出されることを特徴とする請求項４に記載の通信用記憶媒体。
【請求項６】
本体装置に通信用記憶媒体を着脱自在に装着して構成される携帯端末において、
前記本体装置は、通報先情報を入力して前記通信用記憶媒体に転送する通報先情報入力手段と、緊急通報指令を入力して前記通信用記憶媒体に転送する指令入力手段とを備え、
前記通信用記憶媒体は、前記本体装置から転送される通報先情報を記憶する通報先情報記憶手段と、個人を識別するための識別情報を記憶する識別情報記憶手段と、前記本体装置から転送される緊急通報指令によって前記通報先情報記憶手段及び前記識別情報記憶手段から夫々前記通報先情報及び前記識別情報を読み出して無線信号に変換して送信する送信手段とを備えたことを特徴とする携帯端末。
【請求項７】
更に、前記本体装置は、メッセージ情報を入力して前記通信用記憶媒体に転送するメッセージ情報入力手段を備え、
前記通信用記憶媒体は前記本体装置から転送されるメッセージ情報を記憶するメッセージ情報記憶手段を備え、
前記通信用記憶媒体の前記送信手段は、前記メッセージ情報記憶手段に記憶されたメッセージ情報を、前記通報先情報及び前記識別情報と共に無線信号に変換して送信することを特徴とする請求項６に記載の携帯端末。
【請求項８】
本体装置に通信用記憶媒体を接続して構成される携帯端末において、
前記本体装置は、複数の通報先情報を入力して前記通信用記憶媒体に転送する通報先情報入力手段と、
複数の緊急通報指令を入力して前記通信用記憶媒体に転送する指令入力手段とを備え、
前記通信用記憶媒体は、前記本体装置から転送される複数の通報先情報を記憶する通報先情報記憶手段と、前記本体装置から複数の緊急通報指令が転送される毎に、前記通報先情報記憶手段に記憶されている複数の通報先情報のうち夫々異なった通報先情報を読み出して無線信号に変換して送信する送信手段とを備えたことを特徴とする携帯端末。
【請求項９】
本体装置に通信用記憶媒体を着脱自在に装着して構成される携帯端末において、
前記本体装置は、複数の通報先情報を入力して前記通信用記憶媒体に転送する通報先情報入力手段と、複数のメッセージ情報を入力して前記通信用記憶媒体に転送するメッセージ情報入力手段と、複数の緊急通報指令を入力して前記通信用記憶媒体に転送する指令入力手段とを備え、
前記通信用記憶媒体は、前記本体装置から転送される複数の通報先情報を記憶する通報先情報記憶手段と、前記本体装置から転送される複数のメッセージ情報を記憶するメッセージ情報記憶手段と、前記本体装置から複数の緊急通報指令が転送される毎に、前記通報先情報記憶手段に記憶されている複数の通報先情報のうち夫々異なった通報先情報を読み出すと共に、前記メッセージ情報記憶手段に記憶されている複数のメッセージ情報のうち夫々異なったメッセージ情報を読み出して無線信号に変換して送信する送信手段とを備えたことを特徴とする携帯端末。
【請求項１０】
更に、前記本体装置は、位置を検出して位置情報を得、得られた位置情報を前記通信用記憶媒体に転送する位置検出手段を備え、
前記通信用記憶媒体は、前記本体装置から緊急指令入力の転送がなされた際に、前記送信手段によって前記本体装置から転送された位置情報を送信することを特徴とする請求項６乃至９いずれかに記載の携帯端末。
【請求項１１】
更に、前記本体装置は、前記指令入力手段により緊急指令が入力され際に、アラーム音を発生するアラーム音発生手段を備えたことを特徴とする請求項６乃至１０いずれかに記載の携帯端末。
【請求項１２】
前記本体装置は、腕時計であることを特徴とする請求項６乃至１１いずれかに記載の携帯端末。
【請求項１３】
前記本体装置は、デジタルカメラであることを特徴とする請求項６乃至１１いずれかに記載の携帯端末。
【請求項１４】
前記本体装置は、携帯電話機であることを特徴とする請求項６乃至１１いずれかに記載の携帯端末。
【請求項１５】
前記通信用記憶媒体の送信手段はＰＨＳ方式でＰＨＳの基地局と通信することを特徴とする請求項６乃至１４いずれかに記載の携帯端末。
【請求項１６】
ネットワークに向けて通報先情報を送信する携帯端末と、前記ネットワークから送られてくる自己宛の通報に応答して報音を発生する受信装置からなる通報システムであって、
前記携帯端末は、本体装置と、この本体装置に着脱自在に装着される通信用記憶媒体とにより構成され、
前記本体装置は、通報先情報を入力して前記通信用記憶媒体に転送する通報先情報入力手段と、緊急通報指令を入力して前記通信用記憶媒体に転送する指令入力手段とを備え、
前記通信用記憶媒体は、前記本体装置から転送される通報先情報を記憶する通報先情報記憶手段と、
個人を識別するための識別情報を記憶する識別情報記憶手段と、
前記本体装置から転送される緊急通報指令によって前記通報先情報記憶手段及び前記識別情報記憶手段から夫々前記通報先情報及び前記識別情報を読み出して無線信号に変換して送信する送信手段とを備え、
前記受信装置は、前記携帯端末の識別情報記憶手段に記憶されている識別情報と同一の識別情報を記憶する情報記憶手段と、
前記ネットワークから自己宛の通報及び識別情報が送られてきた際に送られてきた識別情報が前記情報記憶手段に記憶された識別情報と同一であるか否かを判断する判断手段と、
この判断手段によって同一で無いと判断された際に予め定められた報知を行なう第一の報知手段と、
同一であると判断された際に前記第一の報知手段とは異なった態様で報知を行なう第二の報知手段とを備えたことを特徴とする通報システム。
【請求項１７】
前記第一の報知手段による前記予め定められた報知は、予め定められた音による報知であり、前記第二の報知手段による報知は、前記予め定められた音とは異なった音による報知であることを特徴とする請求項１６に記載の通報システム。
【請求項１８】
前記通報先情報は電話番号情報であり、前記ネットワークは電話回線ネットワークであり、前記受信装置は電話機であることを特徴とする請求項１６に記載の通報システム。
【請求項１９】
更に、前記携帯端末の通信用記憶媒体は、メッセージ情報を記憶するメッセージ情報記憶手段と、
このメッセージ情報記憶手段に記憶されたメッセージ情報を前記通報先情報及び前記識別情報と共に前記ネットワークに出力するメッセージ出力手段とを備え、  更に、前記受信装置は、前記メッセージ情報を表示する表示手段とを備えていることを特徴とする請求項１６に記載の通報システム。
【発明の詳細な説明】
【０００１】
【発明の属する技術分野】
本発明は、携帯端末と通報先の電話機などをネットワークを介して接続して成る緊急時のセキュリティーサービスに係り、例えば、腕時計やデジタルカメラなどのような本体装置に装着して前記携帯端末を構成する通信用記憶媒体と、この通信用記憶媒体を用いた携帯端末及びこの通信用記憶媒体を用いた通報システムに関する。
【０００２】
【従来の技術】
従来より、端末と警備保障会社の緊急通報センターとを電話回線などのネットワークを介して接続するセキュリティーサービス用の通報システムが開発されている。このようなシステムでは、緊急時に端末の特定の釦を操作すると、緊急情報がネットワークを介して警備保障会社の緊急通報センターなどに通報される。この通報を受けたセンターは、警備員などを端末のある場所や予め指定された場所に急行させたり或いは、予め指定された通報先や警察などに連絡したり、救急車の手配などをするセキュリティーサービスを行なう。
【０００３】
尚、端末にＰＨＳ（Personal Handyphone System）通信機能を持たせれば、緊急通報時、ＰＨＳ基地局から端末の位置情報がセンターに送信される。また、端末にＧＰＳ（Global Positioning System）を搭載しているものでは、緊急通報時、端末から緊急情報と共に端末の現在位置情報をセンターに通報することができる。このようなセキュリティーサービスでは、高価な専用端末が必要であったり、警備会社のセンターの運営、維持に多大な費用がかかるため、入会金、月極めの会費、専用端末のレンタル料が徴収され、また専用端末を購入する場合は高額な購入費用がかかる場合が多い。
【０００４】
【発明が解決しようとする課題】
ところで、上記したセキュリティーサービスに入会しても、緊急事態が発生してサービスを利用する機会はそう多くはない。しかし、高額な専用端末を購入しなければならなかったり、会費や専用端末のレンタル料を継続的に支払わなければならないため、僅かなサービス利用時間に対して常に支払いが生じるため、長期間には支払額が高額になってしまう場合があった。
【０００５】
また、この種のサービスは緊急事態が実際に発生した時に利用するもので、緊急事態の発生を未然に防ぐ利用には向いていなかった。例えば、帰宅時に誰かに後をつけられているなどの事態では、センターに緊急連絡を入れて警察を呼ぶ分けにも行かず、だからといって、何もしないと、それこそ危険な事態が発生する恐れがあった。しかも、そのような危険な事態が発生して、センターに緊急連絡を入れて警察を呼んでも手遅れになってしまう場合もあり、最近多発しているストーカと呼ばれるような犯罪を防止するという観点からは必ずしも有効なサービスではなかった。
【０００６】
更に、利用者は専用端末を外出時には常時持ち運ばなければならず、行動の邪魔になることがある。だからといって、鞄の中などに入れて持ち運ぶと、緊急時の迅速な操作を妨げるといった不具合があり、携帯に便利であるとはいえなかった。
【０００７】
本発明は、上述の如き従来の課題を解決するためになされたもので、その目的は、高いコストをかけること無く、携帯に便利で、緊急時の通報は勿論、緊急事態を未然に防止する通報も行なうことができる通信用記憶媒体、この通信用記憶媒体を用いた携帯端末及びこの通信用記憶媒体を用いた通報システムを提供することである。
【０００８】
【課題を解決するための手段】
この発明の手段は以下の通りである。
【０００９】
請求項１記載の発明は、装着先装置に着脱自在に装着されて動作する通信用記憶媒体において、前記装着先装置から転送される通報先情報を記憶する通報先情報記憶手段と、個人を識別するための識別情報を記憶する識別情報記憶手段と、前記装着先装置から転送される緊急通報指令によって前記通報先情報記憶手段及び前記識別情報記憶手段から夫々前記通報先情報及び前記識別情報を読み出して無線信号に変換して送信する送信手段とを備えたことを特徴とする。
【００１０】
請求項２記載の発明は、前記請求項１において、前記通報先情報は、電話番号情報であることを特徴とする。
【００１１】
請求項３記載の発明は、前記請求項１又は２において、更に、前記装着先装置から転送されるメッセージ情報を記憶するメッセージ情報記憶手段を備え、前記送信手段は、前記メッセージ情報記憶手段に記憶されたメッセージ情報を前記通報先情報及び前記識別情報と共に無線信号に変換して送信することを特徴とする。
【００１２】
請求項４記載の発明は、装着先装置に着脱自在に装着されて動作する通信用記憶媒体において、前記装着先装置から転送される通報先情報を記憶する記憶領域を複数備えた通報先情報記憶手段と、前記装着先装置から転送される緊急通報指令によって前記通報先情報記憶手段の複数の記憶領域から複数の通報先情報を読み出して無線信号に変換して出力する送信手段とを備えたことを特徴とする。
【００１３】
請求項５記載の発明は、前記請求項４において、前記装着先装置から転送される緊急通報指令は複数個あり、夫々の緊急通報指令が転送される毎に、前記通報先情報記憶手段に記憶されている複数の通報先情報のうち夫々異なった通報先情報が読み出されることを特徴とする。
【００１４】
請求項６記載の発明は、本体装置に通信用記憶媒体を着脱自在に装着して構成される携帯端末において、前記本体装置は、通報先情報を入力して前記通信用記憶媒体に転送する通報先情報入力手段と、緊急通報指令を入力して前記通信用記憶媒体に転送する指令入力手段とを備え、前記通信用記憶媒体は、前記本体装置から転送される通報先情報を記憶する通報先情報記憶手段と、個人を識別するための識別情報を記憶する識別情報記憶手段と、前記本体装置から転送される緊急通報指令によって前記通報先情報記憶手段及び前記識別情報記憶手段から夫々前記通報先情報及び前記識別情報を読み出して無線信号に変換して送信する送信手段とを備えたことを特徴とする。
【００１５】
請求項７記載の発明は、前記請求項６において、更に、前記本体装置は、メッセージ情報を入力して前記通信用記憶媒体に転送するメッセージ情報入力手段を備え、前記通信用記憶媒体は前記本体装置から転送されるメッセージ情報を記憶するメッセージ情報記憶手段を備え、前記通信用記憶媒体の前記送信手段は、前記メッセージ情報記憶手段に記憶されたメッセージ情報を、前記通報先情報及び前記識別情報と共に無線信号に変換して送信することを特徴とする。
【００１６】
請求項８記載の発明は、本体装置に通信用記憶媒体を接続して構成される携帯端末において、前記本体装置は、複数の通報先情報を入力して前記通信用記憶媒体に転送する通報先情報入力手段と、複数の緊急通報指令を入力して前記通信用記憶媒体に転送する指令入力手段とを備え、前記通信用記憶媒体は、前記本体装置から転送される複数の通報先情報を記憶する通報先情報記憶手段と、前記本体装置から複数の緊急通報指令が転送される毎に、前記通報先情報記憶手段に記憶されている複数の通報先情報のうち夫々異なった通報先情報を読み出して無線信号に変換して送信する送信手段とを備えたことを特徴とする。
【００１７】
請求項９記載の発明は、本体装置に通信用記憶媒体を着脱自在に装着して構成される携帯端末において、前記本体装置は、複数の通報先情報を入力して前記通信用記憶媒体に転送する通報先情報入力手段と、複数のメッセージ情報を入力して前記通信用記憶媒体に転送するメッセージ情報入力手段と、複数の緊急通報指令を入力して前記通信用記憶媒体に転送する指令入力手段とを備え、前記通信用記憶媒体は、前記本体装置から転送される複数の通報先情報を記憶する通報先情報記憶手段と、前記本体装置から転送される複数のメッセージ情報を記憶するメッセージ情報記憶手段と、前記本体装置から複数の緊急通報指令が転送される毎に、前記通報先情報記憶手段に記憶されている複数の通報先情報のうち夫々異なった通報先情報を読み出すと共に、前記メッセージ情報記憶手段に記憶されている複数のメッセージ情報のうち夫々異なったメッセージ情報を読み出して無線信号に変換して送信する送信手段とを備えたことを特徴とする。
【００１８】
請求項１０記載の発明は、前記請求項６乃至９いずれかにおいて、更に、前記本体装置は、位置を検出して位置情報を得る位置検出手段を備え、前記通信用記憶媒体は、前記本体装置から緊急指令入力の転送がなされた際に、前記送信手段によって前記本体装置から転送された位置情報を送信することを特徴とする。
【００１９】
請求項１１記載の発明は、前記請求項６乃至１０いずれかにおいて、更に、前記本体装置は、前記指令入力手段により緊急指令が入力され際に、アラーム音を発生するアラーム音発生手段を備えたことを特徴とする。
【００２０】
請求項１２記載の発明は、前記請求項６乃至１１いずれかにおいて、前記本体装置は、腕時計であることを特徴とする。
【００２１】
請求項１３記載の発明は、前記請求項６乃至１１いずれかにおいて、前記本体装置は、デジタルカメラであることを特徴とする。
【００２２】
請求項１４記載の発明は、前記請求項６乃至１１いずれかにおいて、前記本体装置は、携帯電話機であることを特徴とする。
【００２３】
請求項１５記載の発明は、前記請求項６乃至１４いずれかにおいて、前記通信用記憶媒体の送信手段はＰＨＳ方式でＰＨＳの基地局と通信することを特徴とする。
【００２４】
請求項１６の手段は、ネットワークに向けて通報先情報を送信する携帯端末と、前記ネットワークから送られてくる自己宛の通報に応答して報音を発生する受信装置からなる通報システムであって、前記携帯端末は、本体装置と、この本体装置に着脱自在に装着される通信用記憶媒体とにより構成され、前記本体装置は、通報先情報を入力して前記通信用記憶媒体に転送する通報先情報入力手段と、緊急通報指令を入力して前記通信用記憶媒体に転送する指令入力手段とを備え、前記通信用記憶媒体は、前記本体装置から転送される通報先情報を記憶する通報先情報記憶手段と、個人を識別するための識別情報を記憶する識別情報記憶手段と、前記本体装置から転送される緊急通報指令によって前記通報先情報記憶手段及び前記識別情報記憶手段から夫々前記通報先情報及び前記識別情報を読み出して無線信号に変換して送信する送信手段とを備え、前記受信装置は、前記携帯端末の識別情報記憶手段に記憶されている識別情報と同一の識別情報を記憶する情報記憶手段と、前記ネットワークから自己宛の通報及び識別情報が送られてきた際に送られてきた識別情報が前記情報記憶手段に記憶された識別情報と同一であるか否かを判断する判断手段と、この判断手段によって同一で無いと判断された際に予め定められた報知を行なう第一の報知手段と、同一であると判断された際に前記第一の報知手段とは異なった態様で報知を行なう第二の報知手段とを備えたことを特徴とする。
【００２５】
請求項１７の手段は、前記請求項１６において、前記第一の報知手段による前記予め定められた報知は、予め定められた音による報知であり、前記第二の報知手段による報知は、前記予め定められた音とは異なった音による報知であることを特徴とする。
【００２６】
請求項１８の手段は、前記請求項１６において、前記通報先情報は電話番号情報であり、前記ネットワークは電話回線ネットワークであり、前記受信装置は電話機であることを特徴とする。
【００２７】
請求項１９の手段は、前記請求項１６において、更に、前記携帯端末の通信用記憶媒体は、メッセージ情報を記憶するメッセージ情報記憶手段と、このメッセージ情報記憶手段に記憶されたメッセージ情報を前記通報先情報及び前記識別情報と共に前記ネットワークに出力するメッセージ出力手段とを備え、更に、前記受信装置は、前記メッセージ情報を表示する表示手段とを備えていることを特徴とする。
【００２８】
【発明の実施の形態】
以下、本発明の実施の形態を図面に基づいて説明する。図１は、本発明の第１の実施の形態に係る通報システムの構成例を示したブロック図である。
【００２９】
本例の通報システムは、時計機能及び緊急通報指令発生機能を有する腕時計３６と、この腕時計３６に着脱自在に装着されて、ＰＨＳ方式による通信機能を付加することにより、データ通信機能及び緊急通報機能を有する通信用カード（通信用記憶媒体）８０と、腕時計３６に装着された通信用カード８０と無線通信を行なうＰＨＳ基地局２と、ＰＨＳ基地局２とＰＨＳ回線網２０を介して接続されるインターネットなどのネットワーク３と、ネットワーク３に電話回線網２１を介して接続される個人の家（自宅）３０等に置かれている電話機４と、交番３１などに置かれている緊急通信用の電話機５と、ネットワーク３上にあるＷＥＢ（World Wide Web）サーバー６とから構成されている。ここで、腕時計３６は各種機能を設定或いは起動するための操作釦Ａ〜Ｄを備え、通信用カード８０にはＰＨＳ基地局２との無線通信を行うためのアンテナ８１が取り付けてある。腕時計３６に通信用カード８０を着脱自在に装着することによって携帯端末１が構成される。
【００３０】
図２は図１に示した携帯端末１を構成する腕時計３６と通信用カード（本発明の通信用記憶媒体に相当する）８０の回路構成例を示したブロック図である。腕時計３６は、各種の個別制御及び全体の制御を行なう制御部（ＣＰＵ）１１と、制御部１１が動作する上で必要なワークエリア及び各種データを記憶する領域を有するメモリ部１２と、制御部１１の動作を制御するプログラムを記憶するＲＯＭ１３と、時刻情報や電話番号などの各種情報を表示するＬＣＤ等の表示部１４と、ユーザが各種情報を設定したり或いは、各種機能を起動する操作釦Ａ〜Ｄを備えた操作部１５と、着信音やアラーム音などを発生する報音部１６と、制御部１１が動作するために必要なクロックや各種タイミング信号を出力する発振・タイミング信号出力部１７と、図示しない接続端子が設けられ通信用カード８０と電気的接続されるコネクタ部１８を有している。
【００３１】
尚、操作部１５の操作釦Ａ〜Ｄは、いずれかひとつ或いはふたつ以上を組み合わせて押すことにより、各種機能を起動したり、各種データを設定することができ或いは、文字や記号を入力することもできる。又、腕時計３６と通信用カード８０によるＰＨＳ機能は、通話機能を備えておらず情報の送受信のみが出来るようになっているが、必要に応じてマイク及びスピーカを腕時計３６に組み込み、通話が出来るようにしてもよいものである。
【００３２】
通信用カード８０は、ＰＨＳ方式の無線通信動作やカード全体の動作を制御する制御部（ＣＰＵ）８０１、送信データを符号化したり或いは、受信データを復号化するなどの処理を行なう信号処理部８０２と、符号化されたデータをアンテナ８１から無線送信したり、或いはアンテナ８１で捕らえた電波を受信するＲＦ回路部８０３と、制御部８０１のワークエリアや本通信用カードの電話番号や識別データやメッセージなどの各種データを記憶するメモリ部８０４を有し、又、図示しない接続端子が腕時計３６のコネクタ部１８の接続端子に着脱自在に接続される。
【００３３】
図３は図２に示した腕時計３６側のメモリ部１２の構成例を示した模式図である。メモリ部１２はＲＡＭなどで構成され、計時情報を格納する領域１２１１と、ストップウォッチ、タイマー及びアラームなどの各種機能で用いるデータを記憶する多機能データ領域１２１２及び制御部１１のワークエリア１２１３から成っている。
【００３４】
図４は図２に示した通信用カード８０側のメモリ部８０４の構成例を示した図である。メモリ部８０４は不揮発性のフラッシュメモリなどで構成され、本カードの電話番号を記憶するカード電話番号記憶領域１２２１、緊急連絡先の電話番号を夫々記憶する電話番号記憶領域１２２２〜１２２４と、識別データ（ＩＤ）などを記憶する識別データ記憶領域１２２５と、緊急連絡用のメッセージ１を記憶するメッセージ１記憶領域１２２６及び緊急連絡用のメッセージ２を記憶するメッセージ２記憶領域１２２７から成っている。電話番号記憶領域１２２２〜１２２４には記憶した電話番号に対応させて緊急度の高低を示す情報である緊急度１又は２を書き込む領域Ｐが設けられている。
【００３５】
図５は図１に示した電話機４（電話機５）の回路構成例を示したブロック図である。電話機４は、各種動作を個別に制御すると共に電話機全体の動作を制御する制御部４１、制御部４１の動作に必要なデータや或いは、図１に示した通信用カード８０の電話番号、即ち記憶領域１２２１に記憶された電話番号などを記憶するメモリ部４２、電話番号情報や受信メッセージなどの各種情報を表示するＬＣＤ等の表示部４３、電話番号や送信メッセージ或いは、設定データなどを入力するキー入力部４４、制御部４１に時刻情報を供給する時計回路部４５、着信音等を発生する着信音発生部４６、電話回線２１に対して音声信号やデータを送受する送受信部４７、送受信部４７を制御して音声通話又はデータ通信等を行なう通信制御部４８、スピーカ５０に対して音声を出力したり、マイク５１からの音声を入力する音声制御部４９、受信音声を出力するスピーカ５０、ユーザの音声を集音するマイク５１を有している。尚、送受信部４７、通信制御部４８及び音声制御部４９は制御部４１に接続され、また、スピーカ５０とマイク５１はハンドセット５２を構成している。
【００３６】
次に本実施の形態の動作について説明する。図６は図１、図２に示した携帯端末を構成する腕時計３６の動作を示したフローチャートであり、以下このフローチャートを参照して説明する。図１、図２に示した本例の腕時計３６に通信用カード８０を装着しておく。ユーザは外出時、この腕時計３６を腕につけておく。通常時は腕時計として用いる。
【００３７】
腕時計３６の制御部１１はステップＳ１で、発振・タイミング信号出力部１７から入力されるタイミング信号を監視し、所定周期（例えば１秒）毎の計時タイミングになったかどうかを判断し、計時タイミングである場合はステップＳ２に進む。ステップＳ２では図３に示したメモリ部１２の領域１２１１に記憶されている時刻情報を更新（＋１秒）する事によって現在時刻情報を得る。この後、ステップＳ１４に進んで更新された現在時刻情報を表示部１４に出力することにより、現在時刻が表示部１４に表示される。
【００３８】
一方、ステップＳ１で計時タイミングでないと判断した場合、ステップＳ３に進んで、操作部１５の操作釦Ａ〜Ｄのいずれかのスイッチ入力、即ちいずれかの釦の押下があったかどうかを判断し、操作釦の押下でない場合はステップＳ１４に進み、表示部１４の表示を更新しないで処理を終了する。
【００３９】
ステップＳ３で操作釦の押下であると判断した場合は、ステップＳ４に進んで、押下されたのが時計機能を制御するための釦であるかどうかを判断し、そうでない場合はステップＳ６に進み、時計機能の制御釦である場合はステップＳ５に進む。ステップＳ５では釦押下に応じて時刻を修正したり、ストップウォッチの計測スタート、ストップ、クリアの制御を行ったり、タイマー及びアラーム等の時間や時刻の設定を図３に示したメモリ部１２の領域１２１２に対して行なう時計機能処理をすると共に、ステップＳ１４に進む。ステップＳ１４では、新たに修正或いは、時刻などの設定情報を表示部１４に表示した後、処理を終了する。
【００４０】
ここで、各操作釦Ａ〜Ｄの機能を簡単に説明しておく。例えば、釦Ａはモード切替釦であり、この釦Ａが操作される毎に通常時刻表示モード、後述する緊急情報の設定モード、通常時刻時刻設定（修正）モード、ストップウオッチモード、タイマーモード、アラーム時刻設定モードといったようにモードが順次切り替わる。通常時刻表示モード及び緊急情報の設定モード以外のモードにおいては、各操作釦Ｂ〜Ｄは、夫々のモードにおける制御釦として機能する。即ち、上述した時刻設定、ストップウオッチ、タイマ、アラーム等の時計機能を制御する時計機能制御釦として機能する。
【００４１】
一方、緊急情報の設定モードにおいては、各操作釦Ｂ〜Ｄは、緊急情報の設定釦として機能する。更に、通常時刻表示モードにおいては、釦Ｃは後述する緊急度１の通報釦として機能し、釦Ｄは緊急度２の通報釦として機能するものである。
【００４２】
然して、ステップＳ６に進んだ場合、押下された釦は緊急情報の設定釦であるかどうかを判断し、そうでない場合はステップＳ８に進み、緊急情報の設定釦である場合はステップＳ７に進む。ステップＳ７では、操作部１５の釦操作により入力された緊急時の通報先の電話番号データ、この電話番号データの緊急度データ、識別データ或いは緊急事態を知らせるメッセージデータなどの設定信号（設定データ）をコネクタ部１８を介して通信用カード８０に出力する処理を行なうと共に、ステップＳ１４にて出力した設定情報の表示処理を行う。ステップＳ８に進んだ場合、押下された釦は緊急度１の通報釦であるかどうかを判断し、そうでない場合はステップＳ１０に進み、緊急度１の通報釦である場合はステップＳ９に進む。ステップＳ９では、緊急度１の通報指令をコネクタ部１８を介して通信用カード８０に出力する処理を行うと共に、ステップＳ１４で緊急度１通報の表示処理を行った後処理を終了する。
【００４３】
ステップＳ１０では、緊急度２の通報釦が押されたかどうかを判断し、押された場合はステップＳ１１に進み、押されない場合はステップＳ１３に進む。ステップＳ１１では、緊急度２の通報指令をコネクタ部１８を介して通信用カード８０に出力する処理を行うと共に、ステップＳ１２にて、報音部１６から大音量のアラーム音を発生し、ステップＳ１４にて緊急度２通報の表示処理を行った後、処理を終了する。ステップＳ１３に進んだ場合、その他の釦操作に応じた処理を行ない、ステップＳ１４にて、実行した処理に関連する情報表示をした後、処理を終了する。
【００４４】
次に図２に示した通信用カード８０の動作について図７に示したフローチャートを参照して説明する。まず、ステップＳ１６にて、ＲＦ回路部８０３がＰＨＳ基地局２から受信した受信信号が有るかどうかを判断し、受信信号がない場合はステップＳ１８に進み、受信信号があった場合はステップＳ１７に進む。ステップＳ１７では、ＲＦ回路部８０３により受信したデータを信号処理部８０２で処理しコネクタ部１８を介して腕時計３６に出力して処理を終了する。ステップＳ１８に進んだ場合、腕時計３６からコネクタ部１８を介して転送された転送信号（転送データ）があるかどうかを判断し、ない場合は処理を終了し、転送信号がある場合はステップＳ１９で転送信号は設定信号であるかどうかを判断する。ステップＳ１９で、設定信号でないと判断した場合、ステップＳ２１に進み、設定信号であると判断した場合はステップＳ２０に進む。
【００４５】
ステップＳ２０では、コネクタ部１８から転送された緊急時の通報先の電話番号データ、この電話番号データの緊急度データ、識別データ或いは緊急事態を知らせるメッセージデータなどを、メモリ部８０４の夫々定められた記憶領域に設定する。
【００４６】
即ち、緊急度１の電話番号は図４に示したメモリ部８０４の電話番号記憶領域１２２２に設定され、その緊急度領域Ｐに緊急度１を示す“１”が書き込まれる。また、緊急度２の電話番号は電話番号記憶領域１２２４に設定され、その緊急度領域Ｐに緊急度２を示す“２”が書き込まれる。
【００４７】
ここで、緊急度１とは、例えば、帰りに誰かに後をつけられているような気がするといった程度のことで、警察に連絡する程ではないが誰かに来て貰いたいような場合であり、通常、自宅３０などの電話番号が登録される。緊急度２とは、暴漢等が追いかけて来るというような実際に身に危険が迫り、警察を呼ぶような事態が発生した場合で、協力を要請してある近所の交番３１などの電話番号が登録される。尚、本例では、少なくとも３つ以上の電話番号が記憶可能であり、例えば緊急度１の電話番号は電話番号記憶領域１２２３にも設定でき、自宅だけでなく帰路の途中にある知人の家の電話番号等を設定することができる。また、識別データとは、腕時計３６の所有者個人を識別するデータで、例えば家族の中の誰であるかを区別するための、例えば姉又は妹等を示すデータである。
【００４８】
ステップＳ２１に進んだ場合、転送信号は緊急度１の通報指令であるかどうかを判断し、そうでない場合はステップＳ２４に進み、緊急度１の通報指令である場合はステップＳ２２に進む。ステップＳ２２では、メモリ部８０４の図４に示した電話番号記憶領域１２２２乃至１２２４の中から緊急度１の電話番号を読み出し、これを信号処理部８０２で対応するダイアル信号にした後、ＲＦ回路部８０３からアンテナ８１を介してＰＨＳ基地局２へ無線送信（ダイアル）する。又、この時、カード電話番号記憶領域１２２１に記憶されている自己の電話番号データも送信者の識別情報として送出する。これにより、アンテナ８１から無線送信されたダイアル信号はＰＨＳ基地局２を介してネットワーク３上に送られ、このネットワーク３から例えば自宅３０の電話機４に着信する。
【００４９】
その後、通信用カード８０と電話機４とが回線接続されると、ステップＳ２３にてメモリ部８０４の識別データ記憶領域１２２５及びメッセージ１記憶領域１２２６から識別データ及び緊急度１に対応するメッセージ１を読み出すと共に、現在時刻情報をコネクタ部１８を介して腕時計３６の制御部１１から転送して貰い、これら情報を信号処理部８０２で符号化した後、ＲＦ回路部８０３からアンテナ８１を介して前記電話機４に無線送信して、処理を終了する。
【００５０】
ステップＳ２４に進んだ場合、押下された釦は緊急度２の通報釦であるかどうかを判断し、そうである場合はステップＳ２４に進み、緊急度２の通報釦でない場合はステップＳ２７に進んで、その他の指令に応じた処理をして、処理を終了する。
【００５１】
ステップＳ２５に進んだ場合、図４に示したメモリ部８０４の電話番号記憶領域１２２４から緊急度２の電話番号を読み出して、これを信号処理部８０２で対応するダイアル信号にした後、ＲＦ回路部８０３からアンテナ８１を介してＰＨＳ基地局２へ送信（ダイアル）する。又、この時もカード電話番号記憶領域１２２１に記憶されている自己の電話番号データも送信者の識別情報として送出する。これにより、アンテナ８１から送信されたダイアル信号はＰＨＳ基地局２を介してネットワーク３上に送られ、このネットワーク３から例えば交番３１の電話機５に着信する。
【００５２】
その後、通信用カード８０と電話機５とが回線接続されると、ステップＳ２６にて、メモリ部８０４の識別データ記憶領域１２２５及びメッセージ２記憶領域１２２７から識別データ及び緊急度２に対応するメッセージ２を読み出すと共に、現在時刻情報を腕時計３６の制御部１１からコネクタ部１８を介して転送して貰い、これら情報を信号処理部８０２で符号化した後、ＲＦ回路部８０３からアンテナ８１を介して前記電話機４に無線送信して、処理を終了する。
【００５３】
尚、ＰＨＳ基地局２は、腕時計３６から電話機４、５等に送信があると、腕時計３６の位置情報を電話機４、５等に同時に送信する。このようなＰＨＳによる位置情報の送信システムは、現状のシステムで採用されているのでその詳細な説明は省略する
【００５４】
然して、図８は図５に示した電話機４の着信時の動作を示したフローチャートである。ステップＳ２９にて、電話回線２１を通して送受信部４７に着信があると、送受信部４７はこれを制御部４１に知らせる。制御部４１は前記着信があると、ステップＳ３０で、メモリ部４２に設定されている電話番号（例えば通信用カード８０）と着信時に知らせてくる相手先の電話番号とが一致するかどうかを判断し、一致する場合はステップＳ３１に進み、一致しない場合はステップＳ３２に進む。
【００５５】
制御部４１はステップＳ３１に進んだ場合、着信音発生部４６から着信音１を発生して呼び出し音とし、ステップＳ３２に進んだ場合は、着信音発生部４６から着信音２を発生して呼び出し音とする。尚、着信音１は腕時計３６からの緊急の着信であることを知らせるシグナルで、着信音２の通常の通信（他の一般的な電話からの着信）であることを知らせる一般的なシグナルとは音を異ならせてあるため、自宅３０にいる家人は呼び出し音だけで腕時計３６からの緊急の着信であるか或いは、通常の着信であるかを知ることができる。
【００５６】
図９は図５に示した電話機４をオフフックした時の動作を示したフローチャートである。制御部４１は送受信部４７に着信があると、ステップＳ３３でハンドセット５２が取られてオフフック（回線接続）するのを待ち、オフフックすると、ステップＳ３４に進む。ステップＳ３４では、メモリ部４２に設定されている電話番号（例えば通信用カード８０）と着信時に知らせてくる相手先の電話番号とが一致するかどうかを判断し、一致する場合はステップＳ３５に進み、一致しない場合はステップＳ３６に進む。
【００５７】
制御部４１はステップＳ３５に進んだ場合、送受信部４７で受信し、通信制御部４８で復号化された受信データ、即ち、識別データ、メッセージデータ、時刻情報、位置情報等を表示部４３に表示し、その後、通話がある場合にはステップＳ３６で相手先との通話を、送受信部４７、通信制御部４８、音声制御部４９、スピーカ５０、マイク５１を用いて行なった後、処理を終了する。ステップＳ３４からステップＳ３６に進んだ場合は腕時計３６以外からの着信なので、直ちに相手先との通話処理を行なった後、処理を終了する。ここで、ステップＳ３５からステップＳ３６の処理へ進む場合は図１、図２に示した腕時計３６及び通信用カード８０に通話機能がある場合の処理であり、本例のように通話機能がない場合は、ステップＳ３６の通話処理を行なわず、処理を終了することになる。
【００５８】
尚、本例では、通信用カード８０の電話番号が送信相手を特定する識別情報となっており、この識別情報の一致、不一致（図８のステップＳ３０）にて緊急通報か、一般の通信であるかが区別されているが、通信用カード８０から送信されてくる識別データを識別情報として緊急通報か否かを判別させるようにしてもよい。この場合は、電話機４、５のメモリ部４２に識別データを予め記憶させておき、送られてきた識別データと一致するか否かを判別させる様にすればよいものである。
【００５９】
図１０は上記した腕時計３６を携帯しているユーザが通る地域を示した地図である。ユーザが利用する駅３３から自宅３０までの帰路（破線）は３００であり、その間に、ＰＨＳ基地局２Ａ〜２Ｅが所々に配置されている。帰路３００の途中付近に知人の家３２があり、また、帰路３００に近接して交番３１がある。
【００６０】
ユーザは駅３３から破線の道順で自宅３０に帰るものとする。この帰路３００を自宅３０に向かって歩いている時に、例えば誰かに後をつけられているような気配を感じたＱ地点で、腕時計３６の緊急度１の通報釦を押下すると、緊急通報が自宅３０及び知人宅３２の電話機４に入り、家人及び知人はその呼び出し音で緊急通報であることを知る。家人及び知人が電話をオフフックすると、例えば直ぐに迎えに来てくださいというようなメッセージ１と共に腕時計３６の位置情報が表示されるため、家人は緊急度１の事態が発生したことを知り、ユーザがいる場所に急行して、ユーザを迎えに行くことができる。
【００６１】
また、ユーザが上記の帰路３００で暴漢などに襲われそうになったような場合などに、腕時計３６の緊急度２の通報釦を押下すると、緊急通報が交番３１の電話機５に入り、助けて下さいと言ったメッセージと共に腕時計３６の位置情報が表示されるため、それを見た警察官は現場に駆けつけることができる。
【００６２】
本実施の形態によれば、携帯端末１は腕時計３６に通信用カード８０を装着して構成されるため、腕にはめて持ち運べるので、携帯に便利で、行動の邪魔にはならないと共に、時計としての機能があるため、常に使用することができる。また、警察を呼ぶ程の事態ではないが、このまま１人でいるには危険な場合には緊急度１の通報釦を押すことにより、例えば自宅３０に緊急通報をして家人に迎えに来て貰うことができるため、ストーカなどの犯罪が起きることを未然に防止することができる。携帯端末１は腕時計３６に通信用カード８０を装着してＰＨＳのデータ通信機能を付属して構成してあるため、値段が安く、一度購入してしまえば、以降、使用料とか、会費などを払わなくて済むため、低価格のセキュリティーを実現することができる。更に、緊急度２の通報釦を押すことにより、警察を呼ぶことができ、所謂、身に危険が迫る緊急事態にも対処することができる。
【００６３】
尚、本例の通信用カード８０はネットワーク３上の情報サービス会社や各種ホームページ及びプロバイダ等のＷＥＢサーバー６にアクセスして、日常生活で必要な各種情報を得て表示部１４に表示させたり、所謂電子メールの送受信を行なうこともできるもので、この処理は、図６のステップＳ１３で行われるものである。
【００６４】
図１１は、本発明の第２の実施の形態に係る携帯端末の構成例を示したブロック図である。但し、前述の第１の実施の形態と同様の部分には同一符号を付し、適宜説明を省略する。本例の携帯端末１を構成する腕時計３６は、ＧＰＳ（Global Positioning System）回路部２５とそのアンテナ１０２を備えており、ＧＰＳ回路部２５はアンテナ１０２を通して人工衛星から携帯端末１の現在の位置情報を得ることができ、この部分が図２に示した第１の実施の形態と異なり、他は構成は同様であり、本例も通信用カード８０を着脱自在に装着できるようになっている。
【００６５】
図１２は上記した腕時計３６に装着されている通信用カード８０のメモリ部８０４の構成例を示した模式図である。本例のメモリ部８０４も、図４に示した第１の実施の形態とほぼ同様の構成を有しているが、図１２に示すようにメモリ部８０４にＧＰＳ回路部２５より得られた腕時計３６の現在の位置情報を記憶する位置情報記憶領域１２２８が設けられている。
【００６６】
本実施の形態によれば、腕時計３６はＧＰＳ回路部２５を備えており、これにより、常に腕時計３６がある場所の位置情報を人工衛星から受けて、これをコネクタ部１８を介して通信用カード８０のメモリ部８０４に転送するため、メモリ部８０４の位置情報記憶領域１２２８には携帯端末１の現在位置情報が記憶されている。従って、通信用カード８０は緊急度１又は緊急度２の通報を電話機４又は５に行う際に回線が接続されると、メモリ部８０４から現在位置情報を読み出し、メッセージ１又はメッセージ２と共に、ＲＦ回路部８０３から無線送信する。
【００６７】
このため、本実施の形態では、ＲＦ回路部８０３による通信方式としてＰＨＳ方式を用いる必要はなく、携帯電話回線なども使用できると共に、ＧＰＳにより位置情報を取得しているため、精度の高い位置情報を緊急通報先に送信することができる。他の効果は第１の実施の形態と同様である。
【００６８】
図１３は、本発明の第３の実施の形態に係る通報システムの構成例を示したブロック図である。但し、前述した第２の実施の形態と同様の部分には同一符号を付し、適宜説明を省略する。本例の通報システムは、時計機能及び緊急通報指令発生機能を有する腕時計３６と、この腕時計３６に着脱自在に装着されて、ＰＨＳ方式による通信機能を付加することにより、データ通信機能、時計機能及び緊急通報機能を有する携帯端末１を構成する通信用カード（通信用記憶媒体）８０と、腕時計３６に装着された通信用カード８０と無線通信を行なうＰＨＳ基地局２と、ＰＨＳ基地局２とＰＨＳ回線網２０を介して接続されるインターネットなどのネットワーク３と、ネットワーク３に電話回線網２１を介して接続される個人の家（自宅）３０等に置かれている電話機４と、ネットワーク３に電話回線網２１を介して接続される警備保障会社等の緊急通信センター９とから構成されている。ここで、腕時計３６は時刻機能に関する情報や緊急通報機能に関する各種機能を設定或いは起動するための操作釦Ａ〜Ｄを備え、通信用カード８０にはＰＨＳ基地局２との無線通信を行うためのアンテナ８１が付いている。
【００６９】
図１４は本発明の通信用カード８０に内蔵されて、緊急通報先の電話番号や緊急時に送信するメッセージ或いは、ユーザの識別データを設定するメモリ部８０４の構成例を示した模式図である。メモリ部８０４は、本通信用カードの電話番号を記憶するカード電話番号記憶領域１２２１と、緊急度１の通報先である電話番号を記憶する電話番号記憶領域１２２２、１２２３と、緊急度２の通報先である緊急通信センター９の電話番号を記憶するセンター電話番号記憶領域１２２９、識別データ（ＩＤ）等を記憶する識別データ記憶領域１２２５、緊急度１の通報時に送信されるメッセージ１を記憶するメッセージ１記憶領域１２２６、緊急度２の通報時に送信されるメッセージ２を記憶するメッセージ２記憶領域１２２７から成っている。電話番号記憶領域１２２２、１２２３及びセンター電話番号記憶領域１２２９には記憶した電話番号に対応する緊急度を示す情報を書き込む領域Ｐが設けられている。
【００７０】
次に本実施の形態の動作について説明する。本例は、緊急度２の通報先として、警備保障会社などが運営する緊急通報センター９の電話番号を通信用カード８０のメモリ部８０４のセンター電話番号記憶領域１２２９に設定できるようになっている。従って、緊急度２の通報釦を押すと、通信用カード８０はメモリ部８０４のセンター電話番号記憶領域１２２９の電話番号を読み出し、この電話番号先にＲＦ回路部８０３からＰＨＳ基地局２、ＰＨＳ回線網２０、ネットワーク３、電話回線２１を介して電話をする。これにより、回線接続されると、メッセージ２記憶領域１２２７から読み出したメッセージ２を緊急通報センター９に送信する。緊急通報センター９のオペレータは、携帯端末１の通信用カード８０から送信されたメッセージ２によって緊急事態が起きたことを知ると、ＰＨＳ基地局２から知らされる携帯端末１の現在の位置情報で特定される場所に警備員などを急派する。
【００７１】
本実施の形態によれば、緊急度２の場合は警備保障会社などが運営する緊急通報センター９に通報することができる。この場合、警備員の派遣などのサービスを受けられるにもかかわらず、従来のように緊急連絡用の専用端末を所有する必要がないので、面倒でないばかりか極めて安価な契約料金だけでサービスを受けられるメリットがある。
【００７２】
図１５は、本発明の第４の実施の形態に係る携帯端末の構成例を示したブロック図である。但し、上記した第１の実施の形態と同様の部分には同一符号を付して説明する。透明タッチパネル部６２やタッチペン６３等を有するＰＤＡ（Personal Digital Assistants)６１に着脱自在に通信用カード８０を装着して携帯端末を構成している。
【００７３】
図１６は図１５に示した携帯端末を構成するＰＤＡ６１とそれに装着された通信用カード８０の回路構成例を示したブロック図である。ＰＤＡ６１は、各種の個別制御及び全体の制御を行なう制御部（ＣＰＵ）１１と、制御部１１が動作する上で必要なワークエリア及び各種データを記憶する領域を有するメモリ部１２と、制御部１１の動作を制御するプログラムを記憶するＲＯＭ１３と、透明タッチパネル６２の下面に設けられ時刻情報や電話番号などの各種情報を表示するＬＣＤ等の表示部１４と、ユーザが各種情報を設定したり或いは、各種機能を起動する操作を行う操作部１５（図１５の１５ａ、１５ｂ）と、着信音やアラームなどを発生する報音部１６と、通信用カード８０を接続するコネクタ部１８及びユーザが文字や記号などで各種情報や指示をタッチペン６３で入力するタッチパネル部６２を有している。
【００７４】
通信用カード８０は、ＰＨＳ方式の無線通信動作やカード全体の動作を制御する制御部（ＣＰＵ）８０１、送信データを符号化したり或いは、受信データを復号化するなどの処理を行なう信号処理部８０２と、符号化されたデータをアンテナ８１から無線送信したり、或いはアンテナ８１で捕らえた電波を受信するＲＦ回路部８０３と、制御部８０１のワークエリアや本通信用カードの電話番号や識別データやメッセージなどの各種データを記憶するメモリ部８０４を有し、ＰＤＡ６１のコネクタ部１８に着脱自在に接続される。
【００７５】
本実施形態によれば、第一の実施の形態で使用されていた通信用カード８０を、腕時計からはずしてＰＤＡ６１に装着することにより、データ通信機能、時計機能及び緊急通報機能を有する携帯端末を構成することができる。従って、腕時計３６を持たずにＰＤＡ６１だけを持って外出するような場合には、通信用カード８０を、腕時計からはずしてＰＤＡ６１に装着するだけで緊急通報がかのうになる。
【００７６】
図１７は、本発明の第５の実施の形態に係る携帯端末の構成例を示したブロック図である。但し、上記した第１の実施の形態と同様の部分には同一符号を付して説明する。レンズ６５、センサ部６７、シャッタ６６、光学ファインダ７１などを有するデジタルカメラ６４に着脱自在に通信用カード８０を装着して携帯端末を構成している。
【００７７】
図１８は図１７に示した携帯端末を構成するデジタルカメラ６４とそれに装着された通信用カード８０の回路構成例を示したブロック図である。デジタルカメラ６４は、撮影動作などの各種の個別制御及び全体の制御を行なう制御部（ＣＰＵ）１１と、制御部１１が動作する上で必要なワークエリア及び撮影した画像データ記憶する領域を有するメモリ部１２と、時刻情報や電話番号などの各種情報を表示するＬＣＤ等の表示部１４と、ユーザがカメラの撮影データ設定したり或いは、各種機能を起動する操作を行う操作部１５と、露出制御のための明るさ等を検知したり、被写体までの距離を検知するためのセンサ部６７、通信用カード８０を接続するコネクタ部１８及びレンズ６５により結像した被写体の像を電気信号に変換するＣＣＤ６８、ＣＣＤ６８を駆動するＣＣＤ駆動部６９、ＣＣＤ６８より入力される電気信号を処理して画像データとする信号処理部７０を有している。
【００７８】
通信用カード８０は、ＰＨＳ方式の無線通信動作やカード全体の動作を制御する制御部（ＣＰＵ）８０１、送信データを符号化したり或いは、受信データを復号化するなどの処理を行なう信号処理部８０２と、符号化されたデータをアンテナ８１から無線送信したり、或いはアンテナ８１で捕らえた電波を受信するＲＦ回路部８０３と、制御部８０１のワークエリアや本通信用カードの電話番号や識別データやメッセージなどの各種データを記憶するメモリ部８０４を有し、デジタルカメラ６４のコネクタ部１８に着脱自在に接続される。
【００７９】
本実施形態によれば、デジタルカメラ６４に通信用カード８０を装着することにより、データ通信機能、時計機能及び緊急通報機能を有する携帯端末を構成することができ、その動作は図１に示した第１の実施の形態と同様であり、同様の効果がある。
【００８０】
図１９は、本発明の第６の実施の形態に係る携帯端末の構成例を示したブロック図である。但し、上記した第１の実施の形態と同様の部分には同一符号を付して説明する。アンテナ９２、表示部９３、キー入力部９４等を有する携帯電話機９１に着脱自在に通信用カード８０を装着して、携帯端末を構成している。
【００８１】
図２０は図１９に示した携帯電話機９１の回路構成例を示したブロック図である。携帯電話機９１は、各種動作を個別に制御すると共に電話機全体の動作を制御する制御部９５、制御部９５の動作に必要なデータや或いは、図１に示した通信用カード８０の電話番号などを記憶するメモリ部９６、電話番号情報や受信メッセージなどの各種情報を表示するＬＣＤ等の表示部９３、電話番号や送信メッセージ或いは、設定データなどを入力するキー入力部９４、制御部９５に時刻情報を供給する時計回路部９７、アンテナ９２を用いて音声信号やデータを無線で送受する送受信部９８、送受信部９８を制御して音声通話又はデータ通信等を行なう通信制御部９９、スピーカ１０１に対して音声を出力したり、マイク１０３からの音声を入力する音声制御部１００、受信音声を出力するスピーカ１０１、ユーザの音声を集音するマイク１０３、通信用カード８０を接続するコネクタ部１０４を有している。尚、送受信部９８、通信制御部９９及び音声制御部１００は制御部９５に接続されている。また、通信用カード８０は例えば図１８のそれと同様の構成であり、詳細構成は省略する。
【００８２】
本実施の形態によれば、携帯電話機９１に通信用カード８０を装着することにより、通常の通話は携帯電話機９１で行い、緊急通報は通信用カード８０のＰＨＳ通信機能を用いて行う携帯端末を構成することができ、その動作は図１に示した第１の実施の形態と同様であり、同様の効果がある。
【００８３】
以上のように、上述した各実施の形態では、通信用カード８０を本体装置に装着するだけで緊急通報機能付きの携帯端末を得ることが出来、従来のような専用端末を不要とすることが出来る。又、通信用カード８０は、腕時計、ＰＤＡ、デジタルカメラ、携帯電話など多くの携帯機器に共用できるので外出時にどの携帯機器を持って出かけようとも通信通報が可能となるものである。
【００８４】
尚、本発明は上記実施の形態に限定されることなく、その要旨を逸脱しない範囲において、具体的な構成、機能、作用、効果において、他の種々の形態によっても実施することができる。例えば、緊急度１と緊急度２の通報釦は、腕時計３６の操作釦Ａ〜Ｄの中で別々に割り当て使用することもできるが、ひとつの釦を割り当て、浅く押した場合は緊急度１の通報釦、深く押した場合は緊急度２の通報釦として機能するようにしても良い。
【００８５】
又、本発明の通信用記憶媒体を接続して携帯端末を構成する本体装置は、上記実施の形態で例示したものに限らず、携帯できる情報処理装置であればどのようなものでもよく、例えば液晶ＴＶ、ＣＤプレーヤーやＭＤプレーヤーなどの音響機器にも採用できることは言うまでもない。
【００８６】
【発明の効果】
以上詳細に説明したように、請求項１、請求項６の発明によれば、緊急通報先を自宅などに設定しておくことにより、緊急事態を未然に防止する通報を行なうことができる。請求項３、請求項７、請求項１９の発明によれば、緊急通報としてメッセージを使用することができる。請求項４、請求項５、請求項８、請求項９の発明によれば、緊急時にふたつ以上の緊急通報を行なうことができるため、一方を緊急事態を未然に防止するための通報に用いることができ、緊急時の通報は勿論、緊急事態を未然に防止する通報も行なうことができる。特に請求項１２の発明によれば、携帯端末が腕時計型であるため携帯に便利で持ち歩いても行動の邪魔をせず且つ通報操作を迅速に行なうことができ、更に請求項１５の発明によれば、パーソナル・ハンディフォン・システムを用いて本体装置に通報機能を容易に付加して装置を構成することができるので、装置を極めて安価に製造することができる。
【００８７】
請求項１０の発明によれば、ＧＰＳなどの位置検出手段を備えることにより、通信方式に拘らず携帯端末の現在の位置情報を通報先に知らせることができる。
請求項１１の発明によれば、緊急時にアラーム音をその場で発生することができる。請求項１７の発明によれば、緊急通報の受信側は呼び出し音などの報知音を聞いただけで、緊急通報であるか、通常の通信であるかを直ちに区別することができる。
【図面の簡単な説明】
【図１】本発明の第１の実施の形態に係る通報システムの構成例を示したブロック図。
【図２】図１に示した携帯端末を構成する腕時計と通信用カードの回路構成例を示したブロック図。
【図３】図２に示した腕時計側のメモリ部の構成例を示した模式図。
【図４】図２に示した通信用カード側のメモリ部の構成例を示した図。
【図５】図１に示した電話機の回路構成例を示したブロック図。
【図６】図１、図２に示した腕時計の動作を示したフローチャート。
【図７】図２に示した通信用カードの動作を示したフローチャート。
【図８】図５に示した電話機の着信時の動作を示したフローチャート。
【図９】図５に示した電話機をオフフックした時の動作を示したフローチャート。
【図１０】腕時計を携帯しているユーザが通る地域を示した地図。
【図１１】本発明の第２の実施の形態に係る携帯端末の構成例を示したブロック図。
【図１２】図１１に示した腕時計に装着されている通信用カードのメモリ部の構成例を示した模式図。
【図１３】本発明の第３の実施の形態に係る通報システムの構成例を示したブロック図。
【図１４】図１３に示した通信用カードのメモリ部の構成例を示した模式図。
【図１５】本発明の第４の実施の形態に係る携帯端末の構成例を示したブロック図。
【図１６】図１５に示した携帯端末を構成するＰＤＡとそれに装着された通信用カードの回路構成例を示したブロック図。
【図１７】本発明の第５の実施の形態に係る携帯端末の構成例を示したブロック図。
【図１８】図１７に示した携帯端末を構成するデジタルカメラとそれに装着された通信用カードの回路構成例を示したブロック図。
【図１９】本発明の第６の実施の形態に係る携帯端末の構成例を示したブロック図。
【図２０】図１９に示した携帯電話機の回路構成例を示したブロック図。
【符号の説明】
１  携帯端末
２、  ２Ａ〜２Ｅ  ＰＨＳ基地局
４、  ５  電話機
６  ＷＥＢサーバー
９  緊急通報センター
１１、４１、９５、８０１  制御部（ＣＰＵ）
１２、４２、９６、８０４  メモリ部
１３  ＲＯＭ
１４、４３、９３  表示部
１５  操作部
１６  報音部
１７  発振・タイミング信号出力部
１８、１０４  コネクタ部
２５  ＧＰＳ回路部
３０  自宅
３１  交番
３６  腕時計
４４、９４  キー入力部
４５、９７  時計回路部
４６  着信音発生部
４７、９８  送受信部
４８、９９  通信制御部
４９、１００  音声制御部
５０、１０１  スピーカ
５１、１０３  マイク
５２  ハンドセット
６１  ＰＤＡ
６２  タッチパネル部
６３  タッチペン
６４  デジタルカメラ
６５  レンズ
６６  シャッター
６７  センサ部
６８  ＣＣＤ
６９  ＣＣＤ駆動部
７０、８０２  信号処理部
８０  通信用カード
８１、９２、１０２  アンテナ
９１  携帯電話機
８０３  ＲＦ回路部
【図１】
0003890986.tif 000002
【図２】
0003890986.tif 000003
【図３】
0003890986.tif 000004
【図４】
0003890986.tif 000005
【図５】
0003890986.tif 000006
【図６】
0003890986.tif 000007
【図７】
0003890986.tif 000008
【図８】
0003890986.tif 000009
【図９】
0003890986.tif 000010
【図１０】
0003890986.tif 000011
【図１１】
0003890986.tif 000012
【図１２】
0003890986.tif 000013
【図１３】
0003890986.tif 000014
【図１４】
0003890986.tif 000015
【図１５】
0003890986.tif 000016
【図１６】
0003890986.tif 000017
【図１７】
0003890986.tif 000018
【図１８】
0003890986.tif 000019
【図１９】
0003890986.tif 000020
【図２０】
0003890986.tif 000021